(57)【要約】 【課題】映像制作スタッフが、各出演者もしくは該出演者の出演管理をするプロダクションに直接問い合わせることなく、希望する撮影日程等の撮影条件でどの出演者が配役可能か及び該出演者の最新且つ詳細な特性を迅速に知ることができる配役支援業務システムを提供することにある。 【解決手段】本発明の配役支援業務システムは、随時、通信により出演可能日程等の出演者情報の更新が可能な端末として登録した複数の出演者もしくは該出演者の出演管理をするプロダクションが保有する出演者端末１０１と、随時、通信により撮影条件を提示することで配役可能な出演者を知ることができる端末として登録した複数の映像制作スタッフが保有するスタッフ端末２０１と、出演者情報等を含む登録者情報の処理と通信を行う配役支援業務コンピュータ３０１と、これらを相互に接続するインターネット等からなるネットワーク４０１を有する。 【選択図】      図１ 
2005044258.tif 000002
【特許請求の範囲】
【請求項１】
複数の映像制作スタッフがそれぞれ保有するスタッフ端末と、複数の映像出演者もしくは該出演者の出演管理をするプロダクションがそれぞれ保有する出演者端末と、配役支援業務コンピュータが通信ネットワークを介して接続された配役支援業務システムにおいて、前記出演者端末は、前記配役支援業務コンピュータに対し記憶保存されている該出演者の出演可能日程を含む出演者情報の送信を要求する出演者情報要求手段と、前記配役支援業務コンピュータより受信した該出演者の出演者情報を表示する出演者情報表示手段と、前記出演者情報の変更を前記配役支援業務コンピュータに対し要求する出演者情報変更手段と、を含み、前記スタッフ端末は、前記配役支援業務コンピュータに対し撮影日程を含む撮影情報を送信して撮影条件で配役可能な出演者の情報送信を要求する配役可能者確認手段と、前記配役支援業務コンピュータから受信した配役可能者情報を表示する配役可能者表示手段と、を含み、前記配役支援業務コンピュータは、登録したスタッフと出演者もしくは該出演者の出演管理をするプロダクションの識別情報及び該出演者の出演可能日程を含む出演者情報を記憶保存する登録者情報記憶手段と、前記出演者端末から受信した出演者情報の送信要求に対し認証後、出演者情報を登録者情報記憶手段から読み出す登録者情報確認手段と、出演者情報を前記出演者端末に合ったフォーマットに変換後送信する出演者情報生成手段と、前記スタッフ端末からの配役可能者確認要求に対し、受信した撮影日程を含む撮影情報と出演者情報記憶手段に保持する出演者の出演可能日程を含む出演者情報の論理演算から撮影条件に適合し配役可能な出演者を抽出する配役可能者抽出手段と、抽出された配役可能な出演者の情報を前記スタッフ端末に合ったフォーマットに変換後送信する配役可能者情報生成手段と、を備えることを特徴とする配役支援業務システム。
【請求項２】
前記出演者は、俳優、タレント、モデル、芸人、エキストラその他の映像出演者を含むことを特徴とする請求項１記載の配役支援業務システム。
【請求項３】
前記出演者情報は、出演者の出演可能日程以外に該出演者の登録ＩＤ、氏名又は芸名、性別、身体写真、年齢、身体的特徴、芸歴、特技、音声データ、動画像等の情報を含むことを特徴とする請求項１記載の配役支援業務システム。
【請求項４】
前記撮影情報は、撮影日程以外に撮影場所、役柄、年齢、ギャラ等の撮影条件に関する情報を含むことを特徴とする請求項１記載の配役支援業務システム。
【発明の詳細な説明】
【技術分野】
【０００１】
本発明は、映像制作スタッフが映像作品の出演者を決定する配役業務において、特にインターネットとコンピュータを用いて出演者の出演可能日程と出演者情報を確認し配役業務の効率化を可能にする配役支援業務システムに関するものである。
【背景技術】
【０００２】
現在、ＴＶ、映画、ＣＭ等の映像業界ではコンピュータとネットワークを用いて広く出演者の出演可能日程及び該出演者のプロフィール等の出演者情報を管理する配役支援業務システムは用いられてない。そのため、映像制作スタッフは撮影日程及び撮影条件に適合した配役をするために各出演者もしくは該出演者の出演管理をする各プロダクションに通信手段を用いて連絡を取り出演者を決定している。
【０００３】
前記のような従来の配役業務において、出演者の出演可能日程を確認する通信手段としては電話、口頭、Ｅメール等が用いられている。また出演者の最新の情報は必ずしも映像制作スタッフの手元にないため、必要な場合は顔写真や年齢、身長等の出演者情報をＦＡＸ、Ｅメール、郵送等により出演者又はプロダクションが映像制作スタッフに送付する。
【０００４】
しかし撮影現場の通信環境はさまざまで、携帯電話もスタジオ内及び移動中は使用不能の場合もあり、常時出演者の出演可能日程を確認する事は困難である。また、出演者情報を映像制作スタッフに送る場合も、屋外の撮影現場ではＦＡＸ送受信が困難な場合が多い。
【０００５】
出演者情報はプロフィールとして各制作会社に置かれる場合が多いが、配布する部数には限界がある上、部数が増えると逆にその内容の更新に多くの労力を要してしまう。所属する出演者の情報をＷＥＢ上に載せている出演者もしくはプロダクションも一部にあるが、ＷＥＢ上に散在しているため必ずしも利用しやすい情報とは言い難く、出演可能日程等の情報は乏しい。
【０００６】
以上により、出演者の配役業務において出演者の出演可能日程及び出演者情報の確認に費やす時間的損失及び該出演者情報の送受信及び更新ための事務的コストは無視できないものがある。
【０００７】
映像出演者に関するものとして特開１０１２−７８６３は、宣伝用映像の出演者募集をインターネットにより行うシステムであるが、画像や音声データ等の情報の受け渡しにネットワークを利用しているものの、データベース手段には触れてなく、配役のプロセスは現在行われているものと大差がない。また、特開１０１２−０４１７２７は、専門職を保持する個人と企業のの仲介をするシステムで、データベース手段と検索手段を含むが、特に映像産業を想定したものではなく、スケジュール管理は明示的に扱っていない。さらに、特開１０１２−５６３１８は、スケジュールを記憶するデータベース手段と、検索手段とを含むが、ＣＤ、ＤＶＤ、ビデオテープ等のレンタル業務に関するものである。
【特許文献１】特開１０１２−７８６３
【特許文献２】特開１０１２−０４１７２７
【特許文献３】特開１０１２−５６３１８
【発明の開示】
【発明が解決しようとする課題】
【０００８】
解決しようとする問題点は、映像出演者又は該出演者の出演管理をするプロダクションの保持する出演可能日程情報を含む出演者情報が多様なフォーマットで存在し、尚かつ散在しているため、映像制作スタッフが撮影日程等の撮影条件に適合し配役可能な出演者を確認するのに多くの時間が掛かることと、前記出演者情報の更新に手間が掛かり必ずしも最新の情報が得られない点である。
【課題を解決するための手段】
【０００９】
本願の第１の発明の配役支援業務システムは、複数の映像制作スタッフがそれぞれ保有するスタッフ端末と、複数の映像出演者もしくは該出演者の出演管理をするプロダクションがそれぞれ保有する出演者端末と、配役支援業務コンピュータと、前記各端末と前記コンピュータに接続された通信ネットワークと、を備え、前記出演者端末は、前記配役支援業務コンピュータに対し登録されている該出演者の出演可能日程を含む出演者情報の送信を要求する出演者情報要求手段と、前記配役支援業務コンピュータより受信した該出演者の出演者情報を表示する出演者情報表示手段と、前記出演者情報の変更を前記配役支援業務コンピュータに対し要求する出演者情報変更手段と、を含み、前記スタッフ端末は、前記配役支援業務コンピュータに対し映像制作スタッフのＩＤや撮影日程を含む撮影情報を送信して撮影条件で配役可能な出演者の情報送信を要求する配役可能者確認手段と、前記配役支援業務コンピュータから受信した配役可能者情報を表示する配役可能者表示手段と、を含み、前記配役支援業務コンピュータは、登録した映像制作スタッフと出演者もしくは該出演者の出演管理をするプロダクションの識別情報及び該出演者の出演可能日程を含む出演者情報を記憶保存する登録者情報記憶手段と、前記出演者端末から受信した出演者情報の送信要求に対し、認証後、出演者情報を登録者情報記憶手段から読み出す登録者情報確認手段と、出演者情報を前記出演者端末に適したフォーマットに変換後送信する出演者情報生成手段と、前記スタッフ端末から受信した配役可能者の確認要求に対し、送られて来た撮影日程を含む撮影情報と出演者情報記憶手段に保持する出演者の出演可能日程を含む出演者情報の論理演算から撮影条件に適合し配役可能な出演者を抽出する配役可能者抽出手段と、抽出された配役可能な出演者の情報を前記スタッフ端末に適したフォーマットに変換後送信する配役可能者情報生成手段と、を含むことを備える。
【００１０】
本願の第２の発明の配役支援業務システムは、第１の発明において、前記出演者は、俳優、タレント、モデル、芸人、エキストラその他の映像出演者を含むことを備える。
【００１１】
本願の第３の発明の配役支援業務システムは、第１の発明において、前記出演者情報は、出演者の出演可能日程以外に該出演者の登録ＩＤ、氏名又は芸名、性別、身体写真、年齢、身体的特徴、芸歴、特技、音声データ、動画像等の情報を含むことを備える。
【００１２】
本願の第４の発明の配役支援業務システムは、第１の発明において、撮影情報は、撮影日程以外に撮影場所、役柄、年齢、ギャラ等の撮影条件に関係する情報を含むことを備える。
【発明の効果】
【００１３】
本願の発明は、複数の出演者端末からネットワークを通じて受信した該出演者の出演可能日程を含む最新の出演者情報を、配役支援業務コンピュータで一元的に記憶管理すると同時に、スタッフ端末から受信した撮影日程等の撮影条件と前記出演者情報との論理演算から配役可能な出演者の情報を生成しスタッフ端末に送信する配役支援業務システムを構築することで、映像制作スタッフは各出演者もしくは該出演者の出演管理をするプロダクションに直接問い合わせることなく、配役可能な出演者と該出演者の最新の詳細な特性を迅速に知ることが可能になり、配役作業の効率化が図れる。
【発明を実施するための最良の形態】
【００１４】
複数の出演者もしくは該出演者の出演管理をするプロダクションが通信端末により随時更新可能な前記出演者の出演可能日程を含む出演者情報を、ネットワークに接続された配役支援業務コンピュータで一元的に記憶管理し、映像制作スタッフからのネットワークを通じた配役可能者の照会に対して、撮影日程等の撮影条件に適合した出演者の情報をスタッフ端末に送信するシステム。
【実施例】
【００１５】
本発明の配役支援業務システムの実施形態を図１と図２に示す。配役支援業務システムは、複数のスタッフ端末２０１と、複数の出演者端末１０１と、配役支援業務コンピュータ３０１と、これらを相互に接続するインターネット等の通信ネットワーク４０１と、から構成されている。
【００１６】
出演者端末１０１は、ユーザー登録した出演者もしくは該出演者の出演管理をするプロダクションが保有し、パーソナルコンピュータや携帯電話やＰＤＡ等の情報処理装置からなる。出演者端末１０１は、ネットワーク４０１を経由して配役支援業務コンピュータ３０１が記憶保存する該出演者の出演可能日程及びＩＤ、氏名又は芸名、性別、身体写真、年齢、身体的特徴、芸歴、特技、音声データ、動画像等の情報送信を要求する出演者情報要求手段１１１を備えている。
【００１７】
又、出演者端末１０１は、ネットワーク４０１を経由して配役支援業務コンピュータ３０１から受信した該出演者の出演可能日程及び登録ＩＤ、氏名又は芸名、性別、身体写真、年齢、身体的特徴、芸歴、特技、音声データ、動画像等の情報を出演者端末１０１の画面に表示する出演者情報表示手段１１２を備えている。
【００１８】
さらに、出演者端末１０１は、配役支援業務コンピュータ３０１に記憶保存された該出演者の出演者情報を最新の情報に保つため、ネットワーク４０１を経由して配役支援業務コンピュータ３０１に対し出演者情報の変更要求と最新の出演者情報を送信する出演者情報変更手段１１３も備えている。これにより出演者もしくは該出演者の出演管理をするプロダクションは、該出演者の出演可能日程を含む出演者情報を絶えず最新の情報に保つことができる。
【００１９】
スタッフ端末２０１はユーザー登録した映像制作スタッフが保有し、パーソナルコンピュータや携帯電話やＰＤＡ等の情報処理装置からなる。スタッフ端末２０１は、ネットワーク４０１を経由して配役支援業務コンピュータ３０１対し、撮影日程を含む撮影条件で配役可能な出演者の情報送信を要求する配役可能者確認手段２１１を備えている。
【００２０】
又、スタッフ端末２０１は、配役支援業務コンピュータ３０１からネットワーク４０１を経由して送られて来る撮影条件に適合した配役可能者情報を、スタッフ端末２０１の画面に表示する配役可能者表示手段２１２を備えている。ここで表示される情報は、出演者のＩＤ、氏名又は芸名以外に、該出演者の身体写真、年齢、身体的特徴、芸歴、特技、音声データ、動画像等の情報があってもよく、映像制作スタッフはより詳細に出演者の特性を確認できる。
【００２１】
配役支援業務コンピュータ３０１は、出演者の配役支援業務を行うものに使用され、ワークステーションや高性能パーソナルコンピュータ等の情報処理装置からなる。
【００２２】
又、配役支援業務コンピュータ３０１は、ユーザー登録した映像制作スタッフ及び出演者又は該出演者の出演管理を行うプロダクションをＩＤ等で識別する識別情報と、登録した出演者の出演可能日程及びプロフィール等を含む出演者情報と、を記憶保存する登録者情報記憶手段３１１を備えている。これにより、複数の映像制作スタッフ及び出演者もしくは該出演者の出演管理をするプロダクションに対して配役支援業務サービスを提供できる。
【００２３】
さらに、配役支援業務コンピュータ３０１は、出演者端末１０１からネットワーク４０１を経由して出演者情報の確認要求を受信すると、認証後、登録者情報記憶手段３１１から該出演者の出演者情報を読み出す出演者情報確認手段３１２を備えている。
【００２４】
さらに、配役支援業務コンピュータ３０１は、出演者情報確認手段３１３により登録者情報記憶手段３１１から引き出された出演者情報を出演者端末１０１に適したフォーマットに変換後、ネットワーク４０１を経由して送信する出演者情報生成手段３１３を備えている。
【００２５】
さらに、配役支援業務コンピュータ３０１は、出演者端末１０１からネットワーク４０１を経由して出演者情報変更の要求を受信すると、認証後、登録者情報記憶手段３１１を用いて送られてきた最新の出演者情報を記憶保存する出演者情報登録手段３１４を備えている。
【００２６】
さらに、配役支援業務コンピュータ３０１は、スタッフ端末２０１からネットワーク４０１を経由して配役可能者確認の要求を受信すると、送られてきた撮影日程等を含む撮影情報の撮影条件と、登録者情報記憶手段３１１を用いて得た出演者の出演可能日程を含む出演者情報の論理演算から撮影条件に適合し配役可能な出演者を抽出する配役可能者抽出手段３１５を備えている。
【００２７】
さらに、配役支援業務コンピュータ３０１は、配役可能者抽出手段３１５により抽出された出演者のリストと該出演者の出演者情報を含む配役可能者情報をスタッフ端末２０１に適したフォーマットに変換後ネットワーク４０１を経由して送信する配役可能者情報生成手段１３６を備えている。
【００２８】
次に、本発明の動作を図３のフローチャートと図２のブロック図を用いて説明する。まず、登録した出演者又は該出演者の出演管理をするプロダクションは、随時、出演者端末１０１の出演者情報要求手段１１１を用いてネットワーク４０１で接続された配役支援業務コンピュータ３０１に記憶保存されている該出演者の出演可能日程及び登録ＩＤ、氏名又は芸名、性別、身体写真、年齢、身体的特徴、芸歴、特技、音声データ、動画像等の出演者情報の送信を要求できる（プロセス５２１）。
【００２９】
配役支援業務コンピュータ３０１は、出演者情報の送信を要求されると、認証後、出演者情報確認手段３１２を用いて、登録者情報記憶手段３１１に記憶された出演者情報を読み出し、出演者情報生成手段３１３により出演者端末１０１に適したフォーマットに変換後送信する（プロセス５２２）。
【００３０】
前記出演者又は該出演者の出演管理をするプロダクションは出演者端末１０１に送られてきた出演可能日程等の出演者情報を出演者情報表示手段１１２で確認でき（プロセス５２３）、もし表示された出演者情報に変更の必要があれば、配役支援業務コンピュータ３０１に対し出演者情報変更手段２１３を用い出演者情報変更の要求ができる（プロセス５２４）。
【００３１】
配役支援業務コンピュータ３０１は出演者端末１０１から出演者情報変更を要求されると、認証後、登録者情報記憶手段３１１を用いて送られてきた該出演者の出演者情報を記憶保存する（プロセス５２５）。以上により、登録した出演者又は該出演者の出演管理をするプロダクションは、該出演者の出演可能日程を含む出演者情報を絶えず最新の情報に保つことができる。
【００３２】
又、映像制作スタッフは、配役する出演者を捜す必要が生じた場合、スタッフ端末２０１の配役可能者確認手段２１１を用い、随時、ネットワーク４０１で接続された配役支援業務コンピュータ３０１に撮影日程や出演者の年齢等の撮影条件を含む撮影情報を送信し、配役可能な出演者の確認を要求できる（プロセス６２１）。
【００３３】
配役支援業務コンピュータ３０１は配役可能な出演者の確認を要求されると、認証後、配役可能者抽出手段３１４を用いて、送られてきた撮影日程や出演者の年齢、性別、身長等の撮影条件と登録者情報記憶手段３１１から読み出した出演者の出演可能日程及び出演者情報の整合性を調べる論理演算により、映像制作スタッフの示した撮影条件に適合し配役可能な出演者を抽出し（プロセス６２２）、配役可能者情報生成手段３１５を用いてスタッフ端末２０１に適したフォーマットに変換後送信する（プロセス６２３）。
【００３４】
映像制作スタッフは、配役支援業務コンピュータ３０１から受信した配役可能な出演者のリストと該出演者の出演者情報を含む配役可能者情報をスタッフ端末２０１上で配役可能者表示手段２１２を用いて確認できる（プロセス６２４）。以上により映像制作スタッフは、各出演者もしくは該出演者の出演管理をするプロダクションと個別に出演可能日程及びその他の撮影条件の整合性を確認をすることなく、撮影条件に適合する出演者を迅速に知ることができる。
【００３５】
又、スタッフ端末２０１で配役可能者表示手段２１２を用いて表示される配役可能出演者情報は、出演者のＩＤ、氏名又は芸名以外に、該出演者の出演可能日程、身体写真、年齢、身体的特徴、芸歴、特技、音声データ、動画像等の情報があってもよく、これらの出演者情報は前述したように絶えず最新の情報に保つことが可能なため、映像制作スタッフは撮影条件により適した配役を行うことが可能になる。
【図面の簡単な説明】
【００３６】
【図１】本発明の実施形態を示すブロック図である。
【図２】本発明の実施形態の詳細なブロック図である。
【図３】本発明の実施形態の動作を示すフローチャートである。
【符号の説明】
【００３７】
１０１  出演者端末
１１１  出演者情報要求手段
１１２  出演者情報表示手段
１１３  出演者情報変更手段
２０１  スタッフ端末
２１１  配役可能者確認手段
２１２  配役可能者表示手段
３０１  配役支援業務コンピュータ
３１１  登録者情報記憶手段
３１２  出演者情報確認手段
３１３  出演者情報生成手段
３１４  出演者情報登録手段
３１５  配役可能者抽出手段
３１６  配役可能者情報生成手段
【図１】
2005044258.tif 000003
【図２】
2005044258.tif 000004
【図３】
2005044258.tif 000005